(57)【要約】【課題】隣り合うコンクリート矢板を鋼製部材によって容易かつ強固に連結させるとともに、コンクリート矢板壁体の断面剛性を向上させることのできるコンクリート矢板と鋼製部材とを備える壁体を提供する。【解決手段】複数のコンクリート矢板５を鋼製部材７にて連結して構築される、コンクリート矢板と鋼製部材とを備える壁体１に関する。本発明を適用したコンクリート矢板と鋼製部材とを備える壁体１は、隣り合って設けられるコンクリート矢板５と、隣り合うコンクリート矢板５を連結する鋼製部材７とを備える。鋼製部材７は、隣り合うコンクリート矢板５の連結箇所５０で軸方向Ｙに沿って設けられる補剛部材２と、補剛部材２に取り付けられる係止部材３とを有する。係止部材３は、隣り合うコンクリート矢板５を互いに壁体方向Ｘに離間させないように拘束する側方係止部３１が、隣り合うコンクリート矢板５の各々に向けて延びて形成される。【選択図】図１
2015169005.tif 000002
【特許請求の範囲】
【請求項１】
複数のコンクリート矢板が連結されたコンクリート矢板と鋼製部材とを備える壁体であって、
隣り合って設けられるコンクリート矢板と、隣り合う前記コンクリート矢板を連結する鋼製部材とを備え、
前記鋼製部材は、隣り合う前記コンクリート矢板の連結箇所で軸方向に沿って設けられる補剛部材と、前記補剛部材に取り付けられる係止部材とを有し、
前記係止部材は、隣り合う前記コンクリート矢板を互いに壁体方向に離間させないように拘束する側方係止部が、隣り合う前記コンクリート矢板の各々に向けて延びて形成されること
を特徴とするコンクリート矢板と鋼製部材とを備える壁体。
【請求項２】
前記係止部材は、隣り合う前記コンクリート矢板の各々に軸方向に延びて形成された嵌合溝に、前記側方係止部が挿入されること
を特徴とする請求項１記載のコンクリート矢板と鋼製部材とを備える壁体。
【請求項３】
前記係止部材は、隣り合う前記コンクリート矢板の各々を壁体直交方向で前記補剛部材と反対側となる正面側に拘束する前方係止部、及び、隣り合う前記コンクリート矢板の各々を壁体直交方向で前記補剛部材が設けられる背面側に拘束する後方係止部の何れか一方又は両方が、隣り合う前記コンクリート矢板の各々の壁体方向に延びて形成されること
を特徴とする請求項１又は２記載のコンクリート矢板と鋼製部材とを備える壁体。
【請求項４】
前記係止部材は、隣り合う前記コンクリート矢板の各々に軸方向に延びて形成された嵌合溝に、前記前方係止部及び前記後方係止部の何れか一方が挿入されること
を特徴とする請求項３記載のコンクリート矢板と鋼製部材とを備える壁体。
【請求項５】
前記係止部材は、隣り合う前記コンクリート矢板の各々に向けて延びる前記側方係止部が、単一部材から延びて形成されて、又は、複数部材の各々から延びて形成されること
を特徴とする請求項１〜４の何れか１項記載のコンクリート矢板と鋼製部材とを備える壁体。
【請求項６】
前記係止部材は、隣り合う前記コンクリート矢板の連結箇所に対向させて、軸方向に沿って連続的又は断続的に、前記補剛部材に取り付けられること
を特徴とする請求項１〜５の何れか１項記載のコンクリート矢板と鋼製部材とを備える壁体。
【請求項７】
前記嵌合溝は、前記係止部材との接触面に補強用鋼板が取り付けられること
を特徴とする請求項２又は４記載のコンクリート矢板と鋼製部材とを備える壁体。
【請求項８】
前記補剛部材は、鋼矢板、Ｈ形部材、又は、鋼矢板とＨ形部材とを組み合わせたものが用いられること
を特徴とする請求項１〜７の何れか１項記載のコンクリート矢板と鋼製部材とを備える壁体。
【請求項９】
前記補剛部材は、Ｈ形部材、又は、鋼矢板とＨ形部材とを組み合わせたものが用いられて、隣り合う前記コンクリート矢板の連結箇所で対向して形成される接合面にＨ形部材のウェブ部が挟み込まれて、隣り合う前記コンクリート矢板の壁体直交方向で前記補剛部材と反対側となる正面側にＨ形部材のフランジ部が設けられること
を特徴とする請求項１〜８の何れか１項記載のコンクリート矢板と鋼製部材とを備える壁体。
【請求項１０】
隣り合う前記コンクリート矢板と前記係止部材との間の間隙、隣り合う前記コンクリート矢板と前記補剛部材との間の間隙、及び、前記嵌合溝の内側の何れか１箇所以上に、吸水して膨張する膨潤性止水材が設けられること
を特徴とする請求項１〜９の何れか１項記載のコンクリート矢板と鋼製部材とを備える壁体。
【請求項１１】
前記補剛部材は、前記コンクリート矢板の下端部よりも下方に向けて延びて設けられること
を特徴とする請求項１〜１０の何れか１項記載のコンクリート矢板と鋼製部材とを備える壁体。
【請求項１２】
前記鋼製部材は、４箇以上並べて設けられた前記コンクリート矢板に形成される連結箇所のうち全部の連結箇所に設けられて、又は、一部の連結箇所のみに間隔を空けて設けられること
を特徴とする請求項１〜１１の何れか１項記載のコンクリート矢板と鋼製部材とを備える壁体。
【請求項１３】
前記前方係止部は、防食加工を施した鋼材又は高強度プラスティックが用いられて、隣り合う前記コンクリート矢板の壁体直交方向で前記補剛部材と反対側となる正面側に配置されること
を特徴とする請求項３又は４記載のコンクリート矢板と鋼製部材とを備える壁体。
【請求項１４】
前記後方係止部は、隣り合う前記コンクリート矢板の壁体直交方向で前記補剛部材が設けられる背面側で、前記コンクリート矢板に取り付けられた離脱防止材に挟み込まれること
を特徴とする請求項３又は４記載のコンクリート矢板と鋼製部材とを備える壁体。
【発明の詳細な説明】
【技術分野】
【０００１】
本発明は、複数のコンクリート矢板と鋼製部材にて構築される、コンクリート矢板と鋼製部材とを備える壁体に関する。
【背景技術】
【０００２】
従来から、コンクリート矢板は、引張強度の低いコンクリートが材料として用いられるため、鋼矢板のように鉤状の継手部を形成して嵌合させることができないものである。このため、特許文献１〜３に開示されるコンクリート矢板壁は、鋼矢板のような鉤状の継手部を形成することなく、複数のコンクリート矢板が並べられて壁体を構成するものである。
【０００３】
特許文献１に開示されたコンクリート矢板壁は、左右に並んだコンクリート矢板を連結するときに、コンクリート矢板の一端でフラット壁の端面を突き当り面として、この突き当り面より突出したガイド片に当接面が形成されることで、突き当り面と当接面との二面からなる嵌合部に、左右に並んで打設されるコンクリート矢板の他端が当接されるものである。
【０００４】
特許文献２に開示されたコンクリート矢板壁は、隣り合うコンクリート矢板のうち一方のコンクリート矢板の外方側面に係合溝が形成されるとともに、他方のコンクリート矢板の内方側面に係合部材が取り付けられて、他方のコンクリート矢板の係合部材を係合溝に係合させることで、コンクリート矢板壁を構成するものである。
【０００５】
特許文献３に開示されたコンクリート矢板壁は、隣り合うコンクリート矢板が接合される方向で接合面から凹溝内に連通している取付孔にボルト部材を挿通させて、ボルト部材の両端を隣り合うコンクリート矢板の各々の凹溝内に定着させるとともに、ボルト部材を緊張させることによって、コンクリート矢板壁を構成するものである。
【先行技術文献】
【特許文献】
【０００６】
【特許文献１】実公平０７−０３８３７０号公報
【特許文献２】特開２００６−１０４７８４号公報
【特許文献３】特開２００５−３３６９４８号公報
【発明の概要】
【発明が解決しようとする課題】
【０００７】
しかし、特許文献１に開示されたコンクリート矢板壁は、突き当り面と当接面との二面からなる嵌合部に、コンクリート矢板の他端が当接されるに過ぎないものであることから、コンクリート矢板の壁体方向や壁体直交方向に作用する外力に抵抗することができずに、左右に並んだコンクリート矢板が互いに離間するおそれがあるという問題点があった。
【０００８】
特許文献２、３に開示されたコンクリート矢板壁は、隣り合うコンクリート矢板に係合部材やボルト部材を用いることで、コンクリート矢板の壁体方向及び壁体直交方向に作用する外力に抵抗しようとするものであるが、隣り合うコンクリート矢板を連結するために係合部材やボルト部材等の別部材を取り付ける別途の作業が必要となり、隣り合うコンクリート矢板の連結作業工程が増大するという問題点があった。
【０００９】
また、特許文献２、３に開示されたコンクリート矢板壁は、隣り合うコンクリート矢板の各々を打ち込んだ後に、係合部材を係合溝に係合させる作業やボルト部材を緊結させる作業が必要となることから、隣り合うコンクリート矢板の連結作業を地盤内で実施することができず、又は、水中での危険性の高い連結作業が必要となるという問題点があった。
【００１０】
そこで、本発明は、上述した問題点に鑑みて案出されたものであり、その目的とするところは、隣り合うコンクリート矢板を鋼製部材により容易かつ強固に連結させるとともに、壁体として断面剛性を向上させることのできるコンクリート矢板と鋼製部材とを備える壁体を提供することにある。
【課題を解決するための手段】
【００１１】
第１発明に係るコンクリート矢板と鋼製部材とを備える壁体は、複数のコンクリート矢板が連結されたコンクリート矢板と鋼製部材とを備える壁体であって、隣り合って設けられるコンクリート矢板と、隣り合う前記コンクリート矢板を連結する鋼製部材とを備え、前記鋼製部材は、隣り合う前記コンクリート矢板の連結箇所で軸方向に沿って設けられる補剛部材と、前記補剛部材に取り付けられる係止部材とを有し、前記係止部材は、隣り合う前記コンクリート矢板を互いに壁体方向に離間させないように拘束する側方係止部が、隣り合う前記コンクリート矢板の各々に向けて延びて形成されることを特徴とする。
【００１２】
第２発明に係るコンクリート矢板と鋼製部材とを備える壁体は、第１発明において、前記係止部材は、隣り合う前記コンクリート矢板の各々に軸方向に延びて形成された嵌合溝に、前記側方係止部が挿入されることを特徴とする。
【００１３】
第３発明に係るコンクリート矢板と鋼製部材とを備える壁体は、第１発明又は第２発明において、前記係止部材は、隣り合う前記コンクリート矢板の各々を壁体直交方向で前記補剛部材と反対側となる正面側に拘束する前方係止部、及び、隣り合う前記コンクリート矢板の各々を壁体直交方向で前記補剛部材が設けられる背面側に拘束する後方係止部の何れか一方又は両方が、隣り合う前記コンクリート矢板の各々の壁体方向に延びて形成されることを特徴とする。
【００１４】
第４発明に係るコンクリート矢板と鋼製部材とを備える壁体は、第３発明において、前記係止部材は、隣り合う前記コンクリート矢板の各々に軸方向に延びて形成された嵌合溝に、前記前方係止部及び前記後方係止部の何れか一方が挿入されることを特徴とする。
【００１５】
第５発明に係るコンクリート矢板と鋼製部材とを備える壁体は、第１発明〜第４発明の何れかにおいて、前記係止部材は、隣り合う前記コンクリート矢板の各々に向けて延びる前記側方係止部が、単一部材から延びて形成されて、又は、複数部材の各々から延びて形成されることを特徴とする。
【００１６】
第６発明に係るコンクリート矢板と鋼製部材とを備える壁体は、第１発明〜第５発明の何れかにおいて、前記係止部材は、隣り合う前記コンクリート矢板の連結箇所に対向させて、軸方向に沿って連続的又は断続的に、前記補剛部材に取り付けられることを特徴とする。
【００１７】
第７発明に係るコンクリート矢板と鋼製部材とを備える壁体は、第２発明又は第４明において、前記嵌合溝は、前記係止部材との接触面に補強用鋼板が取り付けられることを特徴とする。
【００１８】
第８発明に係るコンクリート矢板と鋼製部材とを備える壁体は、第１発明〜第７発明の何れかにおいて、前記補剛部材は、鋼矢板、Ｈ形部材、又は、鋼矢板とＨ形部材とを組み合わせたものが用いられることを特徴とする。
【００１９】
第９発明に係るコンクリート矢板と鋼製部材とを備える壁体は、第１発明〜第８発明の何れかにおいて、前記補剛部材は、Ｈ形部材、又は、鋼矢板とＨ形部材とを組み合わせたものが用いられて、隣り合う前記コンクリート矢板の連結箇所で対向して形成される接合面にＨ形部材のウェブ部が挟み込まれて、隣り合う前記コンクリート矢板の壁体直交方向で前記補剛部材と反対側となる正面側にＨ形部材のフランジ部が設けられることを特徴とする。
【００２０】
第１０発明に係るコンクリート矢板と鋼製部材とを備える壁体は、第１発明〜第９発明の何れかにおいて、隣り合う前記コンクリート矢板と前記係止部材との間の間隙、隣り合う前記コンクリート矢板と前記補剛部材との間の間隙、及び、前記嵌合溝の内側の何れか１箇所以上に、吸水して膨張する膨潤性止水材が設けられることを特徴とする。
【００２１】
第１１発明に係るコンクリート矢板と鋼製部材とを備える壁体は、第１発明〜第１０発明の何れかにおいて、前記補剛部材は、前記コンクリート矢板の下端部よりも下方に向けて延びて設けられることを特徴とする。
【００２２】
第１２発明に係るコンクリート矢板と鋼製部材とを備える壁体は、第１発明〜第１１発明の何れかにおいて、前記鋼製部材は、４箇以上並べて設けられた前記コンクリート矢板に形成される連結箇所のうち全部の連結箇所に設けられて、又は、一部の連結箇所のみに間隔を空けて設けられることを特徴とする。
【００２３】
第１３発明に係るコンクリート矢板と鋼製部材とを備える壁体は、第３発明又は第４明において、前記前方係止部は、防食加工を施した鋼材又は高強度プラスティックが用いられて、隣り合う前記コンクリート矢板の壁体直交方向で前記補剛部材と反対側となる正面側に配置されることを特徴とする。
【００２４】
第１４発明に係るコンクリート矢板と鋼製部材とを備える壁体は、第３発明又は第４明において、前記後方係止部は、隣り合う前記コンクリート矢板の壁体直交方向で前記補剛部材が設けられる背面側で、前記コンクリート矢板に取り付けられた離脱防止材に挟み込まれることを特徴とする。
【発明の効果】
【００２５】
第１発明〜第６発明によれば、補剛部材にあらかじめ取り付けられた係止部材で、隣り合うコンクリート矢板が壁体方向や壁体直交方向に拘束されるため、コンクリート矢板を設けた後に、別部材を取り付ける等の別途の作業を必要とすることなく、隣り合うコンクリート矢板が連結箇所で壁体方向や壁体直交方向に分離することを防止して、隣り合うコンクリート矢板を容易かつ強固に連結させることが可能となる。
【００２６】
第１発明〜第６発明によれば、係止部材の側方係止部、前方係止部又は後方係止部に沿って隣り合うコンクリート矢板を軸方向にスライド移動させることができる。また、第１発明〜第６発明によれば、隣り合うコンクリート矢板に沿って係止部材の側方係止部、前方係止部又は後方係止部を軸方向にスライド移動させることができる。このため、第１発明〜第４発明によれば、隣り合うコンクリート矢板が壁体方向及び壁体直交方向に拘束されて、各々のコンクリート矢板の壁体方向及び壁体直交方向の位置決めの精度を向上させることが可能となる。
【００２７】
特に、第６発明によれば、複数の係止部材が軸方向に所定の間隔を空けて、補剛部材のフランジ部に断続的に取り付けられることで、係止部材に用いられる鋼材等の材料費を低減させることが可能となる。
【００２８】
第７発明によれば、嵌合溝の内側で係止部材との当接面に補強用鋼板が取り付けられることで、係止部材が嵌合溝のコンクリートに直接に接触することを防止して、コンクリートが嵌合溝で欠損することを防止することが可能となる。
【００２９】
第８発明〜第１１発明によれば、コンクリート矢板よりも薄い鋼矢板やＨ形部材を、補剛部材として水底地盤に容易に根入れすることができるため、海洋、河川等の水深が深い場合であっても、コンクリート矢板壁体の断面剛性を向上させるための補剛部材の根入れ作業を容易に実施して、根入れ作業の施工性を著しく向上させることが可能となる。
【００３０】
特に、第１０発明によれば、係止部材の平板部や補剛部材のフランジ部とコンクリート矢板との間に間隙が形成されて、この間隙や嵌合溝の内側で膨潤性止水材を膨張させることができるため、隣り合うコンクリート矢板の連結箇所で、正面側から背面側への浸水を防止することが可能となる。
【００３１】
特に、第１１発明によれば、補剛部材の下端部がコンクリート矢板の下端部よりも下方の水底地盤に向けて延びて設けられるため、鋼矢板やＨ形部材よりも厚みを有するコンクリート矢板を水底地盤に埋め込むことを必要としないで、各々のコンクリート矢板の設置作業の施工性を向上させることが可能となる。第１１発明によれば、地盤から作用する土圧に対して補剛部材で抵抗することができるため、コンクリート矢板壁体を自立構造として設置スペースを著しく低減させることが可能となる。
【００３２】
特に、第１２発明によれば、コンクリート矢板の一部の連結箇所のみに補剛部材が設けられることで、補剛部材の使用数量を低減させて、補剛部材に用いられる鋼材等の材料費や補剛部材の設置費用を低減させることが可能となる。
【００３３】
第１３発明によれば、前面側の前方係止部に防食加工を施した鋼材や高強度プラスティックを用いることで、鋼製部材の腐食を低減することが可能となる。
【図面の簡単な説明】
【００３４】
【図１】本発明を適用したコンクリート矢板と鋼製部材とを備える壁体を示す斜視図である。
【図２】（ａ）は、本発明を適用したコンクリート矢板と鋼製部材とを備える壁体を示す平面図であり、（ｂ）は、その背面図である。
【図３】（ａ）は、本発明を適用したコンクリート矢板と鋼製部材とを備える壁体を示す平面図であり、（ｂ）は、その変形例を示す底面図である。
【図４】（ａ）は、本発明を適用したコンクリート矢板と鋼製部材とを備える壁体を示す平面図であり、（ｂ）は、その背面図である。
【図５】（ａ）は、本発明を適用したコンクリート矢板と鋼製部材とを備える壁体の鋼製部材の補剛部材とリップ付部材の係止部材とを示す平面図であり、（ｂ）は、補剛部材にＨ形部材のみを用いた平面図であり、（ｃ）は、補剛部材に鋼矢板のみを用いた平面図である。
【図６】（ａ）は、本発明を適用したコンクリート矢板と鋼製部材とを備える壁体の鋼製部材の補剛部材とアングル部材の係止部材とを示す平面図であり、（ｂ）は、補剛部材にＨ形部材のみを用いた平面図であり、（ｃ）は、補剛部材に鋼矢板のみを用いた平面図である。
【図７】（ａ）は、本発明を適用したコンクリート矢板と鋼製部材とを備える壁体の嵌合溝を示す平面図であり、（ｂ）は、そのＣ−Ｃ線断面図である。
【図８】本発明を適用したコンクリート矢板と鋼製部材とを備える壁体の係止部材の第１変形例を示す平面図である。
【図９】本発明を適用したコンクリート矢板と鋼製部材とを備える壁体の係止部材の第２変形例を示す平面図である。
【図１０】本発明を適用したコンクリート矢板と鋼製部材とを備える壁体の係止部材の第３変形例を示す平面図である。
【図１１】本発明を適用したコンクリート矢板と鋼製部材とを備える壁体の係止部材の第２変形例と嵌合溝とを示す平面図である。
【図１２】本発明を適用したコンクリート矢板と鋼製部材とを備える壁体の嵌合溝の補強用鋼板を示す平面図である。
【図１３】（ａ）は、本発明を適用したコンクリート矢板と鋼製部材とを備える壁体の連続的に取り付けられた係止部材を示す斜視図であり、（ｂ）は、その断続的に取り付けられた係止部材を示す斜視図である。
【図１４】（ａ）は、本発明を適用したコンクリート矢板と鋼製部材とを備える壁体の係止部材に設けられる止水材を示す平面図であり、（ｂ）は、その補剛部材に設けられる止水材を示す平面図である。
【図１５】本発明を適用したコンクリート矢板と鋼製部材とを備える壁体の全部の連結箇所に補剛部材が設けられた状態を示す平面図である。
【図１６】本発明を適用したコンクリート矢板と鋼製部材とを備える壁体の一部の連結箇所に補剛部材が設けられた状態を示す平面図である。
【図１７】（ａ）は、本発明を適用したコンクリート矢板と鋼製部材とを備える壁体の補剛部材が設けられた状態を示す側面図であり、（ｂ）は、コンクリート矢板が設けられた状態を示す側面図である。
【図１８】（ａ）は、本発明を適用したコンクリート矢板と鋼製部材とを備える壁体を示す側面図であり、（ｂ）は、従来のコンクリート矢板壁を示す側面図である。
【図１９】本発明を適用したコンクリート矢板と鋼製部材とを備える壁体で隣り合うコンクリート矢板が壁体方向及び壁体直交方向に拘束された状態を示す平面図である。
【図２０】本発明を適用したコンクリート矢板と鋼製部材とを備える壁体で隣り合うコンクリート矢板が連結箇所を地盤等の背面側に突出させて設置された状態を示す平面図である。
【図２１】本発明を適用したコンクリート矢板と鋼製部材とを備える壁体で、正面側が略平板状に形成されたコンクリート矢板を示す平面図である。
【発明を実施するための形態】
【００３５】
以下、本発明を適用したコンクリート矢板と鋼製部材とを備える壁体１を実施するための形態について、図面を参照しながら詳細に説明する。
【００３６】
本発明を適用したコンクリート矢板と鋼製部材とを備える壁体１は、図１に示すように、港湾構造物等の岸壁や河川護岸、擁壁、掘削土留壁等で、例えば、海洋、河川、掘削側等の正面側Ａと、背面地盤４等の背面側Ｂとの境界で、コンクリート矢板５と鋼製部材７とを用いて壁体を壁体方向Ｘに構築するものである。
【００３７】
本発明を適用したコンクリート矢板と鋼製部材とを備える壁体１は、複数のコンクリート矢板５が連結されることで隣り合って設けられるコンクリート矢板５と、隣り合うコンクリート矢板５を連結する鋼製部材７とを備える。鋼製部材７は、隣り合うコンクリート矢板５の連結箇所５０で軸方向Ｚに沿って設けられる補剛部材２と、補剛部材２に取り付けられる鋼製等の係止部材３とを備える。
【００３８】
コンクリート矢板５は、コンクリートを材料として用いるものであり、コンクリートの引張強度等を向上させるために、必要に応じて、内部に鉄筋が配設される。コンクリート矢板５は、図２に示すように、コンクリートを打設等することによって所定の断面形状で形成される。
【００３９】
コンクリート矢板５は、図２（ａ）に示すように、壁体方向Ｘに延びるコンクリート矢板フランジ５１と、コンクリート矢板フランジ５１の両側端から壁体直交方向Ｙに傾斜して延びるコンクリート矢板ウェブ５２と、コンクリート矢板ウェブ５２の片側端から壁体方向Ｘに延びる連結部５３とを有する。コンクリート矢板５は、所定の断面形状で、図２（ｂ）に示すように、軸方向Ｚに延びて形成されるものとなる。
【００４０】
コンクリート矢板５は、図３に示すように、複数のコンクリート矢板５を壁体方向Ｘに互いに隣り合わせて設けるときに、隣り合うコンクリート矢板５の連結箇所５０で、互いの連結部５３を連結させる。コンクリート矢板５は、隣り合うコンクリート矢板５の連結箇所５０で、壁体方向Ｘで互いに対向する接合面５４が連結部５３に形成される。
【００４１】
コンクリート矢板５は、図３（ａ）に示すように、壁体方向Ｘの両側端の連結部５３のうち、一方の連結部５３の接合面５４に凸部５４ａが形成されて、他方の連結部５３の接合面５４に凹部５４ｂが形成される。コンクリート矢板５は、これに限らず、図３（ｂ）に示すように、両方の連結部５３の接合面５４が略平面状に形成されてもよく、接合面５４が如何なる形状に形成されてもよい。
【００４２】
本発明を適用したコンクリート矢板と鋼製部材とを備える壁体１は、図４に示すように、壁体方向Ｘに隣り合うコンクリート矢板５の接合面５４を対向させて、互いの接合面５４を近接又は当接させることで、隣り合うコンクリート矢板５の連結箇所５０が設けられるものとなる。
【００４３】
本発明を適用したコンクリート矢板と鋼製部材とを備える壁体１は、図４（ａ）に示すように、補剛部材２が設けられる背面側Ｂに係止部材３が配置されるものであるが、これに限らず、補剛部材２と反対側となる正面側Ａに係止部材３が配置されてもよい。本発明を適用したコンクリート矢板と鋼製部材とを備える壁体１は、図４（ｂ）に示すように、隣り合うコンクリート矢板５の連結箇所５０で軸方向Ｚに沿って補剛部材２が設けられる。
【００４４】
補剛部材２は、図５（ａ）に示すように、鋼矢板２５とＨ形鋼等のＨ形部材２６とを組み合わせたものが用いられる。補剛部材２は、これに限らず、図５（ｂ）に示すように、Ｈ形鋼等のＨ形部材２６のみが単体で用いられてもよく、図５（ｃ）に示すように、鋼矢板２５のみが単体で用いられてもよい。
【００４５】
鋼矢板２５は、例えば、断面略ハット形状のハット形鋼矢板が用いられて、ハット形鋼矢板のフランジ部２０が壁体方向Ｘに延びるものとなる。鋼矢板２５は、これに限らず、断面略Ｕ形状のＵ形鋼矢板や断面略Ｚ形状のＺ形鋼矢板が用いられてもよい。Ｈ形部材２６は、壁体方向Ｘに延びる一対のフランジ部２０が設けられるとともに、一対のフランジ部２０に架設されて壁体直交方向Ｙに延びるウェブ部２１が設けられる。
【００４６】
係止部材３は、図５（ａ）、（ｂ）に示すように、鋼矢板２５とＨ形部材２６とを組み合わせたものや、Ｈ形部材２６のみが補剛部材２に用いられるときに、Ｈ形部材２６のフランジ部２０に取り付けられる。また、係止部材３は、図５（ｃ）に示すように、鋼矢板２５のみが補剛部材２に用いられるときに、鋼矢板２５のフランジ部２０に取り付けられる。
【００４７】
係止部材３は、鋼板を屈曲等させることで形成されたリップ付部材が用いられて、鋼矢板２５又はＨ形部材２６のフランジ部２０に当接される平板部３０から壁体直交方向Ｙに突出して形成される一対の側方係止部３１と、各々の側方係止部３１から壁体方向Ｘに対向して延びて形成される一対の前方係止部３２とを有する。このとき、係止部材３は、壁体方向Ｘで鋼矢板２５又はＨ形部材２６のフランジ部２０の中間側に寄せて、一対の側方係止部３１がリップ付部材等の単一部材から延びて形成されるものとなる。
【００４８】
係止部材３は、これに限らず、図６に示すように、一対のアングル部材が用いられてもよい。このとき、係止部材３は、壁体方向Ｘで鋼矢板２５又はＨ形部材２６のフランジ部２０の両端側に寄せて、一対の側方係止部３１が一対のアングル部材等の複数部材の各々から延びて形成されるとともに、各々の側方係止部３１から延びて一対の前方係止部３２が形成されるものとなる。
【００４９】
係止部材３は、図７に示すように、一対の側方係止部３１が、隣り合うコンクリート矢板５の各々に向けて延びて形成される。本発明を適用したコンクリート矢板と鋼製部材とを備える壁体１は、図４、図７に示すように、断面略Ｌ形状の嵌合溝５５が、隣り合うコンクリート矢板５の各々の連結部５３に軸方向Ｚに延びて一対となって形成される。
【００５０】
本発明を適用したコンクリート矢板と鋼製部材とを備える壁体１は、図７に示すように、壁体方向Ｘで隣り合うコンクリート矢板５の各々の嵌合溝５５に、係止部材３の一対の側方係止部３１と一対の前方係止部３２とが挿入される。本発明を適用したコンクリート矢板と鋼製部材とを備える壁体１は、一対となった嵌合溝５５に、係止部材３の一対の側方係止部３１が挿入されることで、壁体方向Ｘで嵌合溝５５の当接面５５ａに側方係止部３１を当接させることができる。
【００５１】
本発明を適用したコンクリート矢板と鋼製部材とを備える壁体１は、係止部材３の側方係止部３１を嵌合溝５５の当接面５５ａに当接させることによって、隣り合うコンクリート矢板５の連結箇所５０で、係止部材３の側方係止部３１が、隣り合うコンクリート矢板５を互いに壁体方向Ｘに離間させないように拘束するものとなる。
【００５２】
本発明を適用したコンクリート矢板と鋼製部材とを備える壁体１は、一対となった嵌合溝５５に、係止部材３の一対の側方係止部３１とともに、係止部材３の一対の前方係止部３２が挿入されることで、壁体直交方向Ｙで嵌合溝５５の当接面５５ａに前方係止部３２を当接させることができる。
【００５３】
本発明を適用したコンクリート矢板と鋼製部材とを備える壁体１は、係止部材３の前方係止部３２を嵌合溝５５の当接面５５ａに当接させることによって、隣り合うコンクリート矢板５の連結箇所５０で、係止部材３の前方係止部３２が、隣り合うコンクリート矢板５の各々を、壁体直交方向Ｙで補剛部材２と反対側となる正面側Ａ及び補剛部材２が設けられる背面側Ｂに倒壊等させないように拘束するものとなる。
【００５４】
本発明を適用したコンクリート矢板と鋼製部材とを備える壁体１は、図８に示すように、係止部材３の第１変形例において、係止部材３に前方係止部３２を形成させることなく、側方係止部３１のみが形成されてもよい。このとき、本発明を適用したコンクリート矢板と鋼製部材とを備える壁体１は、断面略Ｉ形状の嵌合溝５５が、隣り合うコンクリート矢板５の各々の連結部５３に形成される。
【００５５】
本発明を適用したコンクリート矢板と鋼製部材とを備える壁体１は、隣り合うコンクリート矢板５の各々の断面略Ｉ形状の嵌合溝５５に、係止部材３の一対の側方係止部３１のみが挿入されることで、隣り合うコンクリート矢板５を互いに壁体方向Ｘに離間させないように、係止部材３の一対の側方係止部３１で拘束するものとなる。
【００５６】
本発明を適用したコンクリート矢板と鋼製部材とを備える壁体１は、隣り合うコンクリート矢板５の各々の連結部５３に、一対のアングル部材等の離脱防止材５６が取り付けられて、コンクリート矢板５と離脱防止材５６との間の間隙にＨ形部材２６のフランジ部２０が挿入される。
【００５７】
本発明を適用したコンクリート矢板と鋼製部材とを備える壁体１は、コンクリート矢板５と離脱防止材５６との間でＨ形部材２６のフランジ部２０が挟み込まれることで、隣り合うコンクリート矢板５の各々を、壁体直交方向Ｙの正面側Ａ及び背面側Ｂに倒壊等させないように、Ｈ形部材２６のフランジ部２０で拘束するものとなる。
【００５８】
本発明を適用したコンクリート矢板と鋼製部材とを備える壁体１は、図９、図１０に示すように、係止部材３の第２変形例及び第３変形例において、Ｈ形部材２６のフランジ部２０の両側端から壁体方向Ｘに延びる係止部材３が取り付けられてもよい。
【００５９】
ここで、本発明を適用したコンクリート矢板と鋼製部材とを備える壁体１は、隣り合うコンクリート矢板５の連結箇所５０で、隣り合うコンクリート矢板５の各々の連結部５３の接合面５４に、Ｈ形部材２６のウェブ部２１が挟み込まれて、隣り合うコンクリート矢板５の正面側Ａに、Ｈ形部材２６のフランジ部２０が設けられる。
【００６０】
このとき、本発明を適用したコンクリート矢板と鋼製部材とを備える壁体１は、壁体方向ＸでＨ形部材２６のフランジ部２０の両側端から突出して一対の前方係止部３２が形成されるとともに、前方係止部３２から各々のコンクリート矢板５に向けて延びて一対の側方係止部３１が形成される。前方係止部３２は、例えば、防食加工を施した鋼材又は高強度プラスティックが用いられることで、前方係止部３２が取り付けられる補剛部材２の腐食を低減させることが可能となる。
【００６１】
本発明を適用したコンクリート矢板と鋼製部材とを備える壁体１は、係止部材３の第２変形例において、図９に示すように、隣り合うコンクリート矢板５の各々の連結部５３からコンクリート矢板ウェブ５２まで延びて前方係止部３２が形成されるとともに、コンクリート矢板ウェブ５２の側面に側方係止部３１を当接させることができるように、係止部材３の側方係止部３１が傾斜等した状態で形成される。
【００６２】
このとき、本発明を適用したコンクリート矢板と鋼製部材とを備える壁体１は、コンクリート矢板ウェブ５２の側面に係止部材３の側方係止部３１を当接させることによって、隣り合うコンクリート矢板５の連結箇所５０で、隣り合うコンクリート矢板５が互いに壁体方向Ｘに離間しないように拘束されるものとなる。
【００６３】
本発明を適用したコンクリート矢板と鋼製部材とを備える壁体１は、係止部材３の第３変形例において、図１０に示すように、隣り合うコンクリート矢板５の各々の断面略Ｉ形状の嵌合溝５５に、係止部材３の一対の側方係止部３１が挿入されて、隣り合うコンクリート矢板５を互いに壁体方向Ｘに離間させないように、係止部材３の一対の側方係止部３１で拘束するものとなる。
【００６４】
本発明を適用したコンクリート矢板と鋼製部材とを備える壁体１は、隣り合うコンクリート矢板５の正面側Ａで、Ｈ形部材２６のフランジ部２０や係止部材３の前方係止部３２を各々の連結部５３に当接させることによって、隣り合うコンクリート矢板５の連結箇所５０で、隣り合うコンクリート矢板５の各々が壁体直交方向Ｙの正面側Ａに拘束されるものとなる。
【００６５】
本発明を適用したコンクリート矢板と鋼製部材とを備える壁体１は、必要に応じて、Ｈ形部材２６のウェブ部２１から壁体方向Ｘに突出して一対の後方係止部３３が形成されてもよい。本発明を適用したコンクリート矢板と鋼製部材とを備える壁体１は、隣り合うコンクリート矢板５の背面側Ｂで、係止部材３の後方係止部３３を各々の連結部５３に当接させることによって、隣り合うコンクリート矢板５の連結箇所５０で、隣り合うコンクリート矢板５の各々が、壁体直交方向Ｙの背面側Ｂに拘束されるものとなる。
【００６６】
本発明を適用したコンクリート矢板と鋼製部材とを備える壁体１は、図１１に示すように、必要に応じて、隣り合うコンクリート矢板５の各々の連結部５３の接合面５４に、壁体方向Ｘに延びて一対となって嵌合溝５５が形成されてもよい。このとき、本発明を適用したコンクリート矢板と鋼製部材とを備える壁体１は、係止部材３の一対の後方係止部３３が、一対の嵌合溝５５に挿入されることで、係止部材３の後方係止部３３を嵌合溝５５の当接面５５ａに当接させて、隣り合うコンクリート矢板５の各々が、壁体直交方向Ｙの正面側Ａ及び背面側Ｂに拘束されるものとなる。
【００６７】
本発明を適用したコンクリート矢板と鋼製部材とを備える壁体１は、図１２に示すように、必要に応じて、嵌合溝５５の内側で係止部材３との当接面５５ａに補強用鋼板５７が取り付けられてもよい。これにより、本発明を適用したコンクリート矢板と鋼製部材とを備える壁体１は、係止部材３が嵌合溝５５のコンクリートに直接に接触することを防止して、コンクリートが嵌合溝５５で欠損することを防止することが可能となる。
【００６８】
本発明を適用したコンクリート矢板と鋼製部材とを備える壁体１は、隣り合うコンクリート矢板５の連結箇所５０に対向させて、図１３（ａ）に示すように、軸方向Ｚで補剛部材２のフランジ部２０に沿って、補剛部材２に係止部材３が連続的に取り付けられる。本発明を適用したコンクリート矢板と鋼製部材とを備える壁体１は、これに限らず、図１３（ｂ）に示すように、複数の係止部材３が軸方向Ｚに所定の間隔を空けて、補剛部材２に断続的に取り付けられてもよい。本発明を適用したコンクリート矢板と鋼製部材とを備える壁体１は、係止部材３が補剛部材２のフランジ部２０に断続的に取り付けられることで、係止部材３に用いられる鋼材等の材料費を低減させることが可能となる。断続的に取り付ける場合には、補剛部材２の下端部や上端部には必ず設置することで出来形がよくなる。また、水面以下に設置する係止部材３の数量を少なくすることで、係止部材３が腐食することを低減することができる。
【００６９】
本発明を適用したコンクリート矢板と鋼製部材とを備える壁体１は、図１４（ａ）に示すように、リップ付部材が係止部材３に用いられる場合に、係止部材３の平板部３０に止水材５８が設けられる。また、本発明を適用したコンクリート矢板と鋼製部材とを備える壁体１は、図１４（ｂ）に示すように、アングル部材等が係止部材３に用いられる場合に、補剛部材２のフランジ部２０に止水材５８が設けられる。
【００７０】
本発明を適用したコンクリート矢板と鋼製部材とを備える壁体１は、例えば、係止部材３の平板部３０や補剛部材２のフランジ部２０に膨潤性止水材が塗布されて、又は、嵌合溝５５の内側に膨潤性止水材が塗布されることで、止水材５８が設けられる。止水材５８は、これに限らず、ゴムパッキン等が用いられてもよい。膨潤性止水材は、水に浸漬して膨張させることで、隣り合うコンクリート矢板５の接合面５４の間を通過した水を遮断するものとなる。
【００７１】
本発明を適用したコンクリート矢板と鋼製部材とを備える壁体１は、係止部材３の平板部３０や補剛部材２のフランジ部２０とコンクリート矢板５との間に間隙が形成されて、この間隙で膨潤性止水材を膨張させて密閉させることができる。本発明を適用したコンクリート矢板と鋼製部材とを備える壁体１は、係止部材３の平板部３０や補剛部材２のフランジ部２０、嵌合溝５５の内側に止水材５８が設けられることで、隣り合うコンクリート矢板５の連結箇所５０で、正面側Ａから背面側Ｂへの浸水を防止することが可能となる。
【００７２】
本発明を適用したコンクリート矢板と鋼製部材とを備える壁体１は、コンクリート矢板５の材料にコンクリートが用いられるため、コンクリート矢板５が壁体直交方向Ｙに所定の厚みを有するものとなる。本発明を適用したコンクリート矢板と鋼製部材とを備える壁体１は、正面側Ａと背面側Ｂとの境界にコンクリート矢板５が壁体方向Ｘに３箇以上並べて設けられることで、隣り合うコンクリート矢板５の連結箇所５０が２箇所以上に形成される。
【００７３】
本発明を適用したコンクリート矢板と鋼製部材とを備える壁体１は、例えば、図１５に示すように、コンクリート矢板５が４箇並べて設けられて、隣り合うコンクリート矢板５の連結箇所５０が３箇所に形成される。本発明を適用したコンクリート矢板と鋼製部材とを備える壁体１は、隣り合うコンクリート矢板５の２箇所以上に形成される連結箇所５０のうち、隣り合うコンクリート矢板５の全部の連結箇所５０で、鋼製部材７が軸方向Ｚに沿って設けられる。
【００７４】
本発明を適用したコンクリート矢板と鋼製部材とを備える壁体１は、図１６に示すように、隣り合うコンクリート矢板５に形成された複数の連結箇所５０のうち、鋼製部材７が設けられる箇所と設けられない箇所とが交互に配置されてもよい。このとき、本発明を適用したコンクリート矢板と鋼製部材とを備える壁体１は、複数の連結箇所５０に壁体方向Ｘで１箇所おき等に鋼製部材７が設けられることで、隣り合うコンクリート矢板５の一部の連結箇所５０のみで間隔を空けて鋼製部材７が設けられるものとなる。
【００７５】
本発明を適用したコンクリート矢板と鋼製部材とを備える壁体１は、鋼製部材７が隣り合うコンクリート矢板５の一部の連結箇所５０のみに設けられることで、鋼製部材７の使用数量を低減させて、鋼製部材７に用いられる鋼材等の材料費や鋼製部材７の設置費用を低減させることが可能となる。
【００７６】
本発明を適用したコンクリート矢板と鋼製部材とを備える壁体１は、図１７（ａ）に示すように、最初に、海洋と地盤４との境界で、打撃、振動等により鋼製部材７が打ち込まれることによって、補剛部材２の下端部２ａが水底地盤８に根入れされるものとなる。次に、本発明を適用したコンクリート矢板と鋼製部材とを備える壁体１は、水底地盤８に根入れした鋼製部材７の係止部材３に沿ってコンクリート矢板５を軸方向Ｚにスライド移動させることによって、図１７（ｂ）に示すように、コンクリート矢板５の下端部５ａが、水底地盤８に根入れされることなく設置される。
【００７７】
このとき、本発明を適用したコンクリート矢板と鋼製部材とを備える壁体１は、コンクリート矢板５の下端部５ａよりも補剛部材２の下端部２ａが下方の水底地盤８に向けて延びて設けられる。本発明を適用したコンクリート矢板と鋼製部材とを備える壁体１は、コンクリート矢板５の下端部５ａを水底地盤８に根入れすることなく、正面側Ａと背面側Ｂとの境界にコンクリート矢板５が設置されるため、図１５、図１６、図１７に示すように、鋼矢板２５やＨ形部材２６よりも厚みを有するコンクリート矢板５を水底地盤８に埋め込むことを必要としないで、各々のコンクリート矢板５の設置作業の施工性を向上させることが可能となる。
【００７８】
本発明を適用したコンクリート矢板と鋼製部材とを備える壁体１は、海洋と地盤４との境界に打ち込まれた補剛部材２の上方から、コンクリート矢板５を軸方向Ｚにスライド移動させることができるため、海洋中や地盤内での別段の作業を必要とすることなく、隣り合うコンクリート矢板５を壁体方向Ｘや壁体直交方向Ｙに拘束することが可能となるとともに、各々のコンクリート矢板５の設置作業の施工性を向上させることが可能となる。
【００７９】
本発明を適用したコンクリート矢板と鋼製部材とを備える壁体１は、図７〜図１１に示すように、係止部材３に形成された一対の側方係止部３１に沿って、隣り合うコンクリート矢板５の各々の連結部５３を軸方向Ｚにスライド移動させることで、コンクリート矢板５が設けられる。本発明を適用したコンクリート矢板と鋼製部材とを備える壁体１は、海洋と地盤４との境界でコンクリート矢板５より先行して打ち込まれた補剛部材２に、係止部材３が取り付けられていることから、係止部材３の側方係止部３１に沿わせて、コンクリート矢板５を設けることができる。
【００８０】
本発明を適用したコンクリート矢板と鋼製部材とを備える壁体１は、係止部材３の側方係止部３１に沿って隣り合うコンクリート矢板５を軸方向Ｚにスライド移動させることができるため、隣り合うコンクリート矢板５がスライド移動のときに壁体方向Ｘに拘束されて、壁体方向Ｘの位置決めの精度を向上させることが可能となる。また、本発明を適用したコンクリート矢板と鋼製部材とを備える壁体１は、係止部材３の前方係止部３２や後方係止部３３に沿って隣り合うコンクリート矢板５を軸方向Ｚにスライド移動させることができるため、隣り合うコンクリート矢板５がスライド移動のときに壁体直交方向Ｙに拘束されて、壁体直交方向Ｙの位置決めの精度を向上させることが可能となる。
【００８１】
なお、本発明を適用したコンクリート矢板と鋼製部材とを備える壁体１は、海洋と地盤４との境界にコンクリート矢板５を設置した後に、打撃、振動等により補剛部材２が打ち込まれて、補剛部材２の下端部２ａを水底地盤８に根入れさせてもよい。このとき、本発明を適用したコンクリート矢板と鋼製部材とを備える壁体１は、コンクリート矢板５の連結部５３に沿って、係止部材３の側方係止部３１、前方係止部３２又は後方係止部３３を、軸方向Ｚにスライド移動させることができるものとなる。
【００８２】
本発明を適用したコンクリート矢板と鋼製部材とを備える壁体１は、図１８（ａ）に示すように、補剛部材２の下端部２ａが水底地盤８に根入れされるため、コンクリート矢板５の下端部５ａが根入れされない場合であっても、壁体１に地盤４から作用する土圧Ｐに対して、補剛部材２で抵抗することができるものである。本発明を適用したコンクリート矢板と鋼製部材とを備える壁体１は、隣り合うコンクリート矢板５を壁体方向Ｘに連結する係止部材３が補剛部材２に取り付けられるため、この補剛部材２で壁体１の断面剛性を向上させて自立構造とすることが可能となる。
【００８３】
これに対して、従来のコンクリート矢板壁９は、図１８（ｂ）に示すように、海洋と地盤４との境界に打ち込まれたコンクリート矢板９０に、地中梁９１や控え工９２を設けることによって、地盤４から作用する土圧Ｐに抵抗するものである。このため、従来のコンクリート矢板壁９は、コンクリート矢板９０の背面側Ｂに地中梁９１や控え工９２を設けるための延長Ｌが必要となり、多大な設置スペースを必要とするものとなる。
【００８４】
本発明を適用したコンクリート矢板と鋼製部材とを備える壁体１は、図１８に示すように、地盤４から作用する土圧Ｐに対して補剛部材２で抵抗することができるため、地中梁９１や控え工９２を設けるための多大な設置スペースを必要とすることなく、コンクリート矢板と鋼製部材とを備える壁体１を自立構造として設置スペースを著しく低減させることが可能となる。
【００８５】
本発明を適用したコンクリート矢板と鋼製部材とを備える壁体１は、図１９に示すように、あらかじめ補剛部材２に取り付けられた係止部材３の側方係止部３１で、隣り合うコンクリート矢板５を互いに壁体方向Ｘに拘束するものとなる。これにより、本発明を適用したコンクリート矢板と鋼製部材とを備える壁体１は、コンクリート矢板５を設けた後に別部材を取り付ける等の別途の作業を必要とすることなく、隣り合うコンクリート矢板５を連結箇所５０で壁体方向Ｘに容易に連結することができる。
【００８６】
本発明を適用したコンクリート矢板と鋼製部材とを備える壁体１は、あらかじめ補剛部材２に取り付けられた係止部材３の前方係止部３２又は後方係止部３３で、隣り合うコンクリート矢板５の各々を壁体直交方向Ｙの正面側Ａや背面側Ｂにずれないように拘束するものとなる。これにより、本発明を適用したコンクリート矢板と鋼製部材とを備える壁体１は、コンクリート矢板５を設けた後に別部材を取り付ける等の別途の作業を必要とすることなく、隣り合うコンクリート矢板５を連結箇所５０で壁体直交方向Ｙに容易に拘束することができる。
【００８７】
本発明を適用したコンクリート矢板と鋼製部材とを備える壁体１は、補剛部材２にあらかじめ取り付けられた係止部材３で、隣り合うコンクリート矢板５が壁体方向Ｘや壁体直交方向Ｙに拘束されるため、コンクリート矢板と鋼製部材とを備える壁体１の壁体方向Ｘや壁体直交方向Ｙに作用する外力に抵抗することができる。これにより、本発明を適用したコンクリート矢板と鋼製部材とを備える壁体１は、隣り合うコンクリート矢板５が壁体方向Ｘ及び壁体直交方向Ｙに拘束されて、隣り合うコンクリート矢板５が連結箇所５０で分離することを防止して、隣り合うコンクリート矢板５を強固に連結することが可能となる。
【００８８】
本発明を適用したコンクリート矢板と鋼製部材とを備える壁体１は、図１、図５（ａ）、図６（ａ）に示すように、鋼矢板２５とＨ形部材２６とを組み合わせたものが補剛部材２に用いられるため、補剛部材２が設けられたコンクリート矢板と鋼製部材とを備える壁体１の断面剛性を著しく向上させることが可能となる。本発明を適用したコンクリート矢板と鋼製部材とを備える壁体１は、コンクリート矢板５が海洋等の正面側Ａに化粧板として設けられることで、鋼矢板２５やＨ形部材２６の補剛部材２を海水等に直接に接触させないで、鋼矢板２５やＨ形部材２６の鋼材の腐食を防止することが可能となる。
【００８９】
本発明を適用したコンクリート矢板と鋼製部材とを備える壁体１は、コンクリート矢板５よりも薄い鋼矢板２５やＨ形部材２６を、補剛部材２として水底地盤８に容易に根入れすることができる。これにより、本発明を適用したコンクリート矢板と鋼製部材とを備える壁体１は、海洋、河川等の水深が深い場合であっても、コンクリート矢板と鋼製部材とを備える壁体１の断面剛性を向上させるための補剛部材２の根入れ作業を容易に実施して、補剛部材２の根入れ作業の施工性を著しく向上させることが可能となる。
【００９０】
本発明を適用したコンクリート矢板と鋼製部材とを備える壁体１は、複数のコンクリート矢板５によって構築された既設のコンクリート矢板壁に、後から鋼製部材７が建て込まれるものとすることもできる。これにより、既設のコンクリート矢板壁の補強が可能になるとともに、正面側Ａの増深、掘削等にも対応可能となる。
【００９１】
なお、本発明を適用したコンクリート矢板と鋼製部材とを備える壁体１は、コンクリート矢板５が連結箇所５０を海洋等の正面側Ａに突出させて設置されるものであるが、これに限らず、図２０に示すように、コンクリート矢板５が連結箇所５０を地盤等の背面側Ｂに突出させて設置されてもよい。本発明を適用したコンクリート矢板と鋼製部材とを備える壁体１は、連結箇所５０を海洋等の正面側Ａに突出させることで、壁体直交方向Ｙへの壁厚が低減することが可能となり、また、連結箇所５０を地盤等の背面側Ｂに突出させることで、断面剛性を大きくとることが可能となる。
【００９２】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【００９３】
例えば、本発明を適用したコンクリート矢板と鋼製部材とを備える壁体は、図２１に示すように、海洋等の正面側Ａが略平面状に形成される複数のコンクリート矢板５の連結箇所５０に用いられて、これらのコンクリート矢板５を壁体方向Ｘで隣り合わせて連結させるものであってもよい。
【符号の説明】
【００９４】
１      ：コンクリート矢板と鋼製部材とを備える壁体
２      ：補剛部材
２ａ    ：下端部（補剛部材）
２０    ：フランジ部
２１    ：ウェブ部
２５    ：鋼矢板
２６    ：Ｈ形部材
３      ：係止部材
３０    ：平板部
３１    ：側方係止部
３２    ：前方係止部
３３    ：後方係止部
４      ：地盤
５      ：コンクリート矢板
５ａ    ：下端部（コンクリート矢板）
５０    ：連結箇所
５１    ：コンクリート矢板フランジ
５２    ：コンクリート矢板ウェブ
５３    ：連結部
５４    ：接合面
５４ａ  ：凸部
５４ｂ  ：凹部
５５    ：嵌合溝
５５ａ  ：当接面
５６    ：離脱防止材
５７    ：補強用鋼板
５８    ：止水材
７      ：鋼製部材
８      ：水底地盤
Ａ      ：正面側
Ｂ      ：背面側
Ｘ      ：壁体方向
Ｙ      ：壁体直交方向
Ｚ      ：軸方向
【図１】
2015169005.tif 000003
【図２】
2015169005.tif 000004
【図３】
2015169005.tif 000005
【図４】
2015169005.tif 000006
【図５】
2015169005.tif 000007
【図６】
2015169005.tif 000008
【図７】
2015169005.tif 000009
【図８】
2015169005.tif 000010
【図９】
2015169005.tif 000011
【図１０】
2015169005.tif 000012
【図１１】
2015169005.tif 000013
【図１２】
2015169005.tif 000014
【図１３】
2015169005.tif 000015
【図１４】
2015169005.tif 000016
【図１５】
2015169005.tif 000017
【図１６】
2015169005.tif 000018
【図１７】
2015169005.tif 000019
【図１８】
2015169005.tif 000020
【図１９】
2015169005.tif 000021
【図２０】
2015169005.tif 000022
【図２１】
2015169005.tif 000023